(57)【要約】      （修正有）【課題】一着で複数種の大きく異なる外観を自由に選択することができると共に、多様な外着との自在な組合せを図ることができ、しかも、ブラジャー本来の着用感や機能を何ら損なうところのないブラジャーを提供する。【解決手段】ブラジャー本体１の左右カップ１１上端のストラップ基端部どうしを結んだ位置からブラジャー本体の上記左右カップを備えたフロント部１２の下辺位置にわたるフロント部前面全体を覆う広さを持つ前飾り布２の外周縁部を、該前飾り布の上辺部２１ａを除き、上記フロント部の外周縁部に縫着してなるブラジャーであって、上記前飾り布２表面の中央位置には互いに係止可能な複数の係着手段１６が上下方向に設けられ、該前飾り布の上辺は最下段の上記係着手段位置まで引き下げるに足る長さを有し、該前飾り布の上辺部には該上辺の長さを調整する調整リボン２４が挿通配置されてなることを特徴とする。【選択図】図１
0003164358.tif 000002
【実用新案登録請求の範囲】
【請求項１】
ブラジャー本体の左右カップ上端のストラップ基端部どうしを結んだ位置からブラジャー本体の上記左右カップを備えたフロント部の下辺位置にわたるフロント部前面全体を覆う広さを持つ前飾り布の外周縁部を、該前飾り布の上辺部を除き、上記フロント部の外周縁部に縫着してなるブラジャーであって、上記前飾り布２表面の中央位置には互いに係止可能な複数の係着手段が上下方向に設けられ、該前飾り布の上辺は最下段の上記係着手段位置まで引き下げるに足る長さを有し、該前飾り布の上辺部には該上辺の長さを調整する調整リボンが挿通配置されてなることを特徴とするブラジャー。
【請求項２】
前記係着手段は、前飾り布の上辺部に近い最上部にループが設けられ、中段部と下段部には該ループ互いに係合可能な飾りボタンが所定の間隔をおいて設けられて構成されてなる請求項１記載のブラジャー。
【請求項３】
前記した前飾り布上辺部の縁部表面側には帯状レースを縫着し、該レースにはリボン挿通部が形成され、左右両端部を該レース両端部に縫着固定した左右一対の調整リボンが上記レースのリボン挿通部に挿通され、該リボンの開放端部が該レースの中央部からそれぞれ外部に引き出すように構成されてなる請求項１又は記載のブラジャー。
【考案の詳細な説明】
【技術分野】
【０００１】
本考案は、着用感やブラジャー本来の機能を損なうことなくブラジャー前面の外観を大きく変化させ、複数の異なる前面外観を自由に選択して、多様な種類の外着と自在に組合せることができるブラジャーに関する。
【背景技術】
【０００２】
ブラジャーは、従来から様々な構造やデザインが提案され、着用者の好みや用途、さらには外着（アウターウェア）との組合せに基づく多様な需要に応えて来たが、このことは、着用者がその好みや必要に応じて多種多様なブラジャーを多数取り揃える必要があり、その選択と購入に要する手間と経済的負担が大きかった。
【０００３】
このため、一着のブラジャーで複数の用途に対応できる提案もなされており、例えば、外着に合わせてストラップ（肩ひも）を着脱自在としたブラジャーが既に普及しているほか、ストラップの着脱に合わせてカップ形状をハーフカップタイプとクォーターカップタイプの二通りに使い分けることができる経済的で趣向に富んだブラジャー（実用新案登録第３０９１９５９号）なども提案されている。
【０００４】
しかし、このストラップの着脱だけに依存して、ブラジャーの外形変化や使い分けを求めたのでは、ストラップの基端取り付け位置であるカップ上縁部における限られた変化しか得ることができず、さらにこれを越えたブラジャー構成部分の外形変化や使い分けの可能性まで求めると、その外観体裁や着用感並びに機能というブラジャー本来の基本的要求を満たすことが難しかった。
【０００５】
そこで、着用者の好みや必要性と経済的便宜を考えれば、一着で複数種の大きく異なる外観を選択することができ、多様な外着と組合せることのできるブラジャーが望まれていたが、これまでそのようなブラジャーの提案はなかった。
【先行技術文献】
【特許文献】
【０００６】
【特許文献１】登録実用新案第３０６８９０５号公報
【特許文献２】登録実用新案第３０６９８３５号公報
【特許文献３】登録実用新案第３０９１９５９号公報
【考案の概要】
【考案が解決しようとする課題】
【０００７】
本考案は、一着で複数種の大きく異なる外観を自由に選択することができると共に、多様な外着との自在な組合せを図ることができ、しかも、ブラジャー本来の着用感や機能を何ら損なうところのないブラジャーを提供するものである。
【課題を解決するための手段】
【０００８】
本考案は、一着のブラジャーにおける大きな外観変化や使い分けの前提と可能性を、着用感や機能を支えているブラジャー自体の構成部分には求めず、ブラジャーの前面に止着して使用する別部材の前飾り布に求めたことが最も主要な特徴である。
【０００９】
すなわち、本考案では、ブラジャーの前面にブラジャー自体の前面外観とは異なる外観と形状の前飾り布を止着すると共に、該前飾り布の表面の縦中心位置に互いに係止可能な複数の係着手段を上下に設け、この係着手段を利用して前飾り布の上辺中央部を所定位置まで引き下げて係止させることにより、前飾り布を止着したブラジャーの前面外観を段階的に大きく変化させるようにし、しかも該前飾り布の上辺を所定の長さに調整可能な調整リボンを設けることにより、前飾り布の外形変化に起因する前飾り布自体の外観の不体裁やブラジャー本来の着用感並びに機能が阻害されないようにした。
【考案の効果】
【００１０】
このように、本考案に係るブラジャーによれば、ブラジャー本来の着用感や機能の阻害することなく、ブラジャーの前面外観を段階的にかつ大きく変化させることができるので、一着で複数種の大きく異なる外観を自由に選択することができると共に、多様な外着との自在な組合せを図ることができ、特段複雑な構成や煩雑な製造工程を要することなく、最小の部品点数で趣向のあるファッション性に富んだブラジャーを提供することができるのである。
【図面の簡単な説明】
【００１１】
【図１】図１は、本考案に係るブラジャー本体前面に止着される前飾り布の構成とブラジャー本体への止着関係の一例を示した正面図である。
【図２】図２は、本考案に係るブラジャーで選択できる前面外観の一例を示した正面図である。
【図３】図３は、本考案に係るブラジャーで選択できる前面外観の他の例を示した正面図である。
【図４】図４は、本考案に係るブラジャーで選択できる前面外観のさらに他の例を示した正面図である。
【考案を実施するための形態】
【００１２】
図１は、本考案に係るブラジャーの一実施例を示す正面図であり、本考案は図示の通り、ブラジャー本体１とその前面に止着される前飾り布２とから構成されている。
【００１３】
ブラジャー本体１は、従来一般に提供されてきたブラジャーと同様の構成でよく、左右のカップ１１，１１を備えたフロント部１２と、該フロント部１２の左右両側端に連設縫合１２ａされて背中側に至る脇布１３，１３とからなり、左右カップ１１，１１の上縁部外方位置と脇布１３，１３の背中側上縁中間部との間には一対のストラップ（肩ひも）１５，１５が付設され、脇布１３，１３のそれぞれ背中側の開放端部１６，１６にはブラジャーを安定装着するための適宜の係止手段（例えば、フックと複数の止め輪など）が設けられている。
【００１４】
上記の前飾り布２は、上記ブラジャー本体１における左右のカップ１１，１１上端のストラップ基端部１５ａどうしを結んだ位置からフロント部１２下辺のアンダーテープ１４位置にわたるフロント部１２の前面全体を覆う広さを持つ適宜素材で適宜厚さの布体２１からなり、かつ該布体２１（前飾り布２）の上辺部２１ａの長さは左右両カップ１１，１１のストラップ基端部１５ａ間の直線距離よりも長くある程度たるみを持たせてあり、具体的には該前飾り布の上辺部２１ａの長さは後記する最下段の係着手段位置まで引き下げるに足る長さを有しており、この布体２１の上辺部２１ａを除いた、左右両側辺部２１ｂ、２１ｂ、２１ｃ、２１ｃならびに下辺部２１ｄの外周縁を、それぞれ対応して布体両側辺部上方２１ｂ、２１ｂはブラジャー本体１の左右カップ１１，１１のストラップ基端部１５ａからフロント部１２の脇布３との縫合部１２ａの傾斜上縁部に、また布体両側辺部下方２１ｃ、２１ｃは脇布３との縫合部１２ａに、そして布体下辺部２１ｄはアンダーテープ１４に、それぞれ縫着されている。
【００１５】
上記のように、前飾り布２の上辺部２１ａを除いて、それ以外の外周縁部をブラジャー本体１のフロント部１２前面に止着している結果、図２に示す如く、左右のカップ１１，１１のストラップ基端部１５ａ間を結ぶ位置からフロント部１２下辺のアンダーテープ１４位置に至る前面全体が前飾り布２で覆われることとなり、ブラジャー本体１本来の前面外観とは大きく異なり、前飾り布２の上辺部２１ａはあたかもキャミソールのように見え、着用者のバスト部分を露呈することのない前面外観を呈するので、例えば、その上に合わせの開きを大きくしたブラウスやカーディガンなどを直接着用しても、何ら不自然な体裁となることはなく、良好な組合せになる。
【００１６】
また、前飾り布２表面の中央位置には互いに係止可能な複数の係着手段が上下方向に設けられており、本実施例図では、前飾り布２の上辺部２１ａに近い最上部にはループ（紐輪）２２が設けられ、所定の間隔を置いて中段部と下段部には該ループ２２と互いに係合可能な飾りボタン２３ａと２３ｂがそれぞれ設けられている（図１参照）。
【００１７】
なお、上記の係着手段としては、ループ２２と複数の飾りボタン２３との組み合わせに限られず、スナップ式のホックどうしや、金属フックと飾りリング、あるいは金属フックと左右両端のみを前飾り布２表面に止着して水平方向に渡した複数段の糸体との組合せ、面状テープどうしによる係着など、種々のものが考えられる。
【００１８】
そして、ブラジャー本体１の前面に止着された前飾り布２の上辺部２１ａはその左右両端部だけが固定された自由端であり、また、ブラジャー本体１自体の安定的な装着はフロント部１２の下辺から脇布１３，１３にわたるアンダーテープ１４位置で支持されているから、前飾り布２表面の中央位置の最上部に設けられたループ２２を引き下げて中段部ないし下段部のボタン２３ａ，２３ｂへ係着した場合、前飾り布２の上辺中央部もループ２２を係着した飾りボタン２３ａないし２３ｂの位置まで容易に引き下げられて固定されることとなり、呈される前面外観は大きく異なったものに変化する。
【００１９】
すなわち、本考案に係るブラジャーの着用者は、前飾り布２の表面に設けられた係着手段（ループ２２とボタン２３ａ，２３ｂ）を利用せずに、前飾り布２の上辺部２１ａが左右カップ１１，１１のストラップ基端部１５ａ間をほぼ直線的に結んだ位置にあるときは、前記のように着用者のバスト部分の全体が覆われた前面外観となる（図２参照）。
【００２０】
また、前飾り布２上方のループ２２を中段のボタン２３ａに係着したときは、引き下げられた前飾り布２の上辺部２１ａが左右のカップ１１，１１の上縁部と概ね重なり合うように位置して覆う前面外観となる（図３参照）。
【００２１】
さらに、ループ２２を最下段のボタン２３ｂに係着し、前飾り布２の上辺部２１ａが左右のカップ１１，１１の上方を露呈させる位置まで引き下げられた場合には、バストの谷間を大胆に見せるような前面外観となり（図４参照）、このように大きく異なる三種の前面外観を自らの意志に基づいて選択して楽しむことができると共に、一着のブラジャーで多様な種類の外着との組合せを自在に選択することができるのである。
【００２２】
なお、特に前飾り布２の表面に設けられた係着手段のループ２２とボタン２３ａ，２３ｂを利用せずに、前飾り布２の上辺部２１ａが左右カップ１１，１１のストラップ基端部１５ａ間を直接結んだ図２のようなキャミソールタイプとするときに、着用者の体型により、前飾り布２の上辺部２１ａの中央部が大きく弛み過ぎるような場合には、外観上の不体裁が生じてしまう。
【００２３】
そこで、この実施例では、前飾り布２の上辺部２１ａの位置に応じた好適な長さを常に提供する調整手段を設けるため、該上辺部２１ａに対して前飾り布２表面のループ２２を中段や下段のボタン２３ａや２３ｂに係着した場合でも、外観体裁や着用感などを損なうことのない好適な長さを与える一方、前飾り布上辺２１ａ左右両端部に縫着固定されると共に、前飾り布上辺２１ａ中央部から外部に露呈して垂下する一対の調整リボン２４，２４を前飾り布上辺部２１ａに挿通し、この調整リボン２４，２４の先端の開放端を引っ張って蝶々結び等の飾り結びを行ない、前飾り布上辺２１ａ中央部の位置に関わりなく、常に好適な前飾り布上辺部２１ａの長さを自由に調整できるようにしてある。（図２参照）
【００２４】
そして、本実施例では、図１〜４に示す如く、前飾り布２の上辺部２１ａの縁部表面側には帯状レース２５を縫着し、該レース２５にはリボン挿通部２５ａを形成し、左右両端部を該レース２５両端部に縫着固定した左右一対の調整リボン２４，２４を上記レース２５のリボン挿通部２５ａに挿通し、該リボン２４の開放端部をレース２５の中央部からそれぞれ外部に引き出すようにしてある。
【００２５】
従って、本考案に係るブラジャーの着用者は、前飾り布２表面の係着手段を用いることなく、前飾り布２の上辺がストラップ基端部１５ａ間を直接結んだ位置にある場合、あるいは、前飾り布２の表面最上部のループ２２を中段のボタン２３ａに係着する場合には、調整リボン２４，２４の開放端を引っ張って前飾り布２の上辺の余剰な長さを絞り、好適な長さに調整した上で適宜結ぶことにより、前飾り布２の上辺部が弛むなどの不体裁を避け、所望の前面外観を選択して利用することができ（図２〜３参照）、また、前飾り布２表面最上部のループ２２を下段のボタン２３ｂに係着して上辺中央部を大きく引き下げ位置させる場合にも、これに好適な長さが既に上辺に与えられているから、上辺の長さを調整するまでもなく単に調整リボン２４，２４の開放端どうしを結ぶだけで、引きつりなどの外観上の不体裁や着用感並びに機能の阻害を伴わずに、この引き下げ位置における良好な前面外観を提供することができる（図４参照）。
【００２６】
なお、上記実施例では、前飾り布２の上辺部２１ａを除く外周縁部をブラジャー本体１のフロント部１２に縫着したが、該上辺部２１ａの中央位置の引き下げに耐え得る限り、その止着方法に制限はなく、前飾り布２を着脱自在に止着することも否定されるものではない。
【００２７】
また、本実施例では、前飾り布２の上辺周縁部の表面側には帯レース２５を縫着し、該レース２５に調整リボン２４，２４の挿通部２５ａを形成したが、前飾り布２の上辺周縁部を後側に折り返して縫着して筒状に形成し、あるいは他のリボン挿通手段を設けるなど、調整リボン２４，２４を挿通配置する手段や方法にも特段の限定はない。
【００２８】
さらに、前飾り布２の上辺部２１ａの異なる位置（異なる前面外観）に応じた好適な長さを与え又は調整する方法として、前飾り布２の上縁部に伸縮性素材を挿通したり、前飾り布２の上縁部自体を伸縮性素材で構成することも考えられるが、本考案者の実験と試作によれば、前飾り布２の上辺部２１ａの位置に応じて、着用者にとって最も好適な長さを調整するには、上記調整リボンを引き結ぶ方法が最も簡便かつ確実であり、しかも良好な外観体裁や着用感を確保し易く、さらには前飾り布２表面の上辺位置に装飾上のアクセントを添える点とも相俟って最も優れているものといえる。
【符号の説明】
【００２９】
１−ブラジャー本体
２−前飾り布
１１−カップ
１２−フロント部
１３−脇布
１４−アンダーテープ部
１５−ストラップ
１６−係着手段
２１−前飾り布の布体
２１ａ−前飾り布の上辺部
２２−ループ
２３−飾りボタン
２４−調整リボン
２５−帯レース
２５ａ−調整リボン挿通部
【図１】
0003164358.tif 000003
【図２】
0003164358.tif 000004
【図３】
0003164358.tif 000005
【図４】
0003164358.tif 000006
【手続補正書】
【提出日】平成22年9月28日(2010.9.28)
【手続補正１】
【補正対象書類名】実用新案登録請求の範囲
【補正対象項目名】請求項３
【補正方法】変更
【補正の内容】
【請求項３】
前記した前飾り布上辺部の縁部表面側には帯状レースを縫着し、該レースにはリボン挿通部が形成され、左右両端部を該レース両端部に縫着固定した左右一対の調整リボンが上記レースのリボン挿通部に挿通され、該リボンの開放端部が該レースの中央部からそれぞれ外部に引き出すように構成されてなる請求項１又は２記載のブラジャー。